(57)【要約】【課題】  カメラの撮影を被撮影者がより確実に感知できるカメラシステムを提供する。【解決手段】  被撮影者を撮影するカメラと、前記被撮影者が所持する被撮影者端末とからなるカメラシステムであって、前記カメラは、被撮影者を撮影する撮影機構と、前記撮影の範囲を表す撮影情報を撮影に際して発信するカメラ側通信部と、カメラ各部を制御するカメラ制御部と、を有し、前記被撮影者端末は、前記撮影情報を受信する端末側通信部と、前記撮影情報の受信を報知する報知手段と、を有することを特徴とするカメラシステム。【選択図】      図１
2005150939.tif 000002
【特許請求の範囲】
【請求項１】
被撮影者を撮影するカメラと、前記被撮影者が所持する被撮影者端末とからなるカメラシステムであって、
前記カメラは、被撮影者を撮影する撮影機構と、前記撮影の範囲を表す撮影情報を撮影に際して発信するカメラ側通信部と、カメラ各部を制御するカメラ制御部と、を有し、
前記被撮影者端末は、前記撮影情報を受信する端末側通信部と、前記撮影情報の受信を報知する報知手段と、を有することを特徴とするカメラシステム。
【請求項２】
前記撮影情報には前記カメラを特定するカメラ識別コードが含まれており、
前記報知手段は前記カメラ識別コードに対応する情報を表示して報知することを特徴とする請求項１に記載のカメラシステム。
【請求項３】
前記カメラは、カメラ位置を取得するカメラ位置情報取得部と、前記カメラの撮影距離および撮影画角を前記撮影機構から検出する撮影情報検出部と、前記カメラの撮影方向を検出する撮影方向検出部とをさらに有し、
前記撮影情報には、前記カメラ位置、前記撮影距離、前記撮影画角および前記撮影方向が含まれており、
前記被撮影者端末は、端末位置を取得する端末位置情報取得部とをさらに有し、
前記報知手段は、前記端末位置および前記撮影情報に基づいて、被撮影者が前記撮影の範囲内に位置するか否かを判定し、該判定結果を表示して報知することを特徴とする請求項１または請求項２に記載のカメラシステム。
【請求項４】
前記カメラ側通信部は、前記撮影画角に対応した指向性を有することを特徴とする請求項３に記載のカメラシステム。
【請求項５】
被撮影者を撮影するカメラと、前記被撮影者が所持する被撮影者端末と、前記カメラおよび前記被撮影者端末と通信可能なサーバーとからなるカメラシステムであって、
前記カメラは、被撮影者を撮影する撮影機構と、カメラ位置を取得するカメラ位置情報取得部と、前記カメラの撮影距離および撮影画角を前記撮影機構から検出する撮影情報検出部と、前記カメラの撮影方向を検出する撮影方向検出部と、前記カメラを特定するカメラ識別コード、前記カメラ位置、前記撮影距離、前記撮影画角および前記撮影方向を含む撮影情報を、撮影に際して前記サーバーへ発信するカメラ側通信部と、カメラ各部を制御するカメラ制御部と、を有し、
前記サーバーは、前記カメラから受信した前記撮影情報を、前記被撮影者端末に送信する通信制御部を有し、
前記被撮影者端末は、前記撮影情報を前記サーバーから受信する端末側通信部と、端末位置を取得する端末位置情報取得部と、前記端末位置および前記撮影情報に基づいて、被撮影者が前記撮影の範囲内に位置するか否かを判定し、該判定結果を表示して報知する報知手段と、を有することを特徴とするカメラシステム。
【請求項６】
前記端末側通信部は、前記撮影情報の送信要求を前記サーバーに発信し、
前記サーバーは、前記被撮影者端末の前記送信要求を記録する送信設定記憶部をさらに有し、
前記通信制御部は、前記撮影情報の受信時に、該撮影情報に基づく撮影の範囲内に位置する被撮影者端末に関する前記送信要求の有無を検索し、前記送信要求に対応して前記撮影情報の送信を行うことを特徴とする請求項５に記載のカメラシステム。
【請求項７】
前記カメラ制御部は、前記撮影距離および前記撮影画角に基づいて前記撮影の範囲を求め、該撮影の範囲に応じて前記撮影情報の発信を停止させることを特徴とする請求項３から請求項７のいずれか１項に記載のカメラシステム。
【請求項８】
前記報知手段は、前記撮影の範囲内に前記端末位置が位置する場合のみ表示を行うことを特徴とする請求項３から請求項８のいずれか１項に記載のカメラシステム。
【請求項９】
前記端末側通信部は、撮影を禁止する撮影禁止信号を発信し、
前記カメラ制御部は、前記カメラ側通信部の前記撮影禁止信号受信時に撮影を禁止することを特徴とする請求項１から請求項８のいずれか１項に記載のカメラシステム。
【請求項１０】
前記カメラは、被撮影者像を光電変換して画像データを生成する電子カメラであって、
前記端末側通信部は、前記画像データの再生または処理を禁止する再生禁止信号を発信し、
前記カメラ制御部は、前記カメラ側通信部の前記再生禁止信号受信時に前記画像データの再生禁止処理を行うことを特徴とする請求項１から請求項９のいずれか１項に記載のカメラシステム。
【請求項１１】
前記再生禁止信号には、前記画像データに対応する画像識別コードが含まれており、
前記カメラ制御部は、受信した前記画像識別コードに対応する前記画像データに再生禁止処理を行うことを特徴とする請求項１０に記載のカメラシステム。
【発明の詳細な説明】
【技術分野】
【０００１】
本発明は、カメラと被撮影者端末とからなるカメラシステムに関し、特にカメラ撮影時に被撮影者に撮影を感知させるカメラシステムに関する。
【背景技術】
【０００２】
近年では、デジタルカメラやカメラ付携帯電話が急速に普及しており、これらの機器は技術革新に伴って益々小型化する傾向にある。そのため、被撮影者が感知しないうちにカメラで撮影される機会は増加しており、被撮影者のプライバシーが侵害されるおそれも高まっている。特に、電子カメラでの撮影の場合には、被撮影者に無許可で撮影した画像データを、インターネット等を利用して不特定多数に公開することは極めて容易であり、さらには画像データを意図的に加工することも比較的容易である。したがって、被撮影者が意図しないトラブルに巻き込まれて回復困難な損害を被るおそれもある。そのため、カメラの撮影を被撮影者が感知するための手段が近年強く要望されている。
【０００３】
ここで、従来の撮影管理に関する技術には以下の先行技術が存在する。特許文献１には、予め規定された撮影禁止領域内にカメラの制御信号を含む電波を発信し、撮影禁止領域内でのカメラの撮影を制御する技術が開示されている。特許文献２には、ネットワークを介してカメラ撮影する場合に、カメラのアングルが撮影禁止領域を含む場合に画像のアクセスを禁止する技術が開示されている。
【０００４】
また、特許文献３には、被撮影者からの撮影拒否通知音声を認識する音認識手段を設け、被撮影者側からカメラを制御する技術が開示されている。特許文献４には、リモート制御による撮影が可能なカメラにおいて、リモート制御での撮影時に警告音を発生させて盗撮等を防止するカメラが開示されている。また、従来から、カメラ付携帯電話では撮影時に音を発生させて撮影を通知するようになっている。
【特許文献１】特開２０００−１５２２１７号公報
【特許文献２】特開平１０−１３６２４７号公報
【特許文献３】特開２０００−４４３５号公報
【特許文献４】特開平１０−３１２６５号公報
【発明の開示】
【発明が解決しようとする課題】
【０００５】
上記の特許文献１および特許文献２のように撮影禁止領域を設定する場合には、被撮影者が望まない撮影を防止することができる。これらの技術はカメラまたは被写体（被撮影者）が固定されている場合には特に有効である。しかし、撮影者および被撮影者が自由に移動する状況下では、被撮影者ごとに撮影禁止領域を設定することは実際には困難である。また、特許文献３は撮影の停止に関するものであり、被撮影者が如何にして撮影を感知するかという前提条件については開示されていない。
【０００６】
一方、警告音等により被撮影者に撮影を通知する手段では、カメラのピントが被撮影者に合っているか否かまでを感知することは不可能である。
本発明は上記従来技術の課題を解決するためにされたものであり、その目的は、カメラの撮影を被撮影者がより確実に感知できるカメラシステムを提供することである。
【課題を解決するための手段】
【０００７】
請求項１の発明は、被撮影者を撮影するカメラと、前記被撮影者が所持する被撮影者端末とからなるカメラシステムであって、前記カメラは、被撮影者を撮影する撮影機構と、前記撮影の範囲を表す撮影情報を撮影に際して発信するカメラ側通信部と、カメラ各部を制御するカメラ制御部と、を有し、前記被撮影者端末は、前記撮影情報を受信する端末側通信部と、前記撮影情報の受信を報知する報知手段と、を有することを特徴とする。
【０００８】
請求項２の発明は、請求項１の発明において、前記撮影情報には前記カメラを特定するカメラ識別コードが含まれており、前記報知手段は前記カメラ識別コードに対応する情報を表示して報知することを特徴とする。
請求項３の発明は、請求項１または請求項２の発明において、前記カメラは、カメラ位置を取得するカメラ位置情報取得部と、前記カメラの撮影距離および撮影画角を前記撮影機構から検出する撮影情報検出部と、前記カメラの撮影方向を検出する撮影方向検出部とをさらに有し、前記撮影情報には、前記カメラ位置、前記撮影距離、前記撮影画角および前記撮影方向が含まれており、前記被撮影者端末は、端末位置を取得する端末位置情報取得部とをさらに有し、前記報知手段は、前記端末位置および前記撮影情報に基づいて、被撮影者が前記撮影の範囲内に位置するか否かを判定し、該判定結果を表示して報知することを特徴とする。
【０００９】
請求項４の発明は、請求項３の発明において、前記カメラ側通信部は、前記撮影画角に対応した指向性を有することを特徴とする。
請求項５の発明は、被撮影者を撮影するカメラと、前記被撮影者が所持する被撮影者端末と、前記カメラおよび前記被撮影者端末と通信可能なサーバーとからなるカメラシステムであって、前記カメラは、被撮影者を撮影する撮影機構と、カメラ位置を取得するカメラ位置情報取得部と、前記カメラの撮影距離および撮影画角を前記撮影機構から検出する撮影情報検出部と、前記カメラの撮影方向を検出する撮影方向検出部と、前記カメラを特定するカメラ識別コード、前記カメラ位置、前記撮影距離、前記撮影画角および前記撮影方向を含む撮影情報を、撮影に際して前記サーバーへ発信するカメラ側通信部と、カメラ各部を制御するカメラ制御部と、を有し、前記サーバーは、前記カメラから受信した前記撮影情報を、前記被撮影者端末に送信する通信制御部を有し、前記被撮影者端末は、前記撮影情報を前記サーバーから受信する端末側通信部と、端末位置を取得する端末位置情報取得部と、前記端末位置および前記撮影情報に基づいて、被撮影者が前記撮影の範囲内に位置するか否かを判定し、該判定結果を表示して報知する報知手段と、を有することを特徴とする。
【００１０】
請求項６の発明は、請求項５の発明において、前記端末側通信部は、前記撮影情報の送信要求を前記サーバーに発信し、前記サーバーは、前記被撮影者端末の前記送信要求を記録する送信設定記憶部をさらに有し、前記通信制御部は、前記撮影情報の受信時に、該撮影情報に基づく撮影の範囲内に位置する被撮影者端末に関する前記送信要求の有無を検索し、前記送信要求に対応して前記撮影情報の送信を行うことを特徴とする。
【００１１】
請求項７の発明は、請求項３から請求項７の発明において、前記カメラ制御部は、前記撮影距離および前記撮影画角に基づいて前記撮影の範囲を求め、該撮影の範囲に応じて前記撮影情報の発信を停止させることを特徴とする。
請求項８の発明は、請求項３から請求項８の発明において、前記報知手段は、前記撮影の範囲内に前記端末位置が位置する場合のみ表示を行うことを特徴とする。
【００１２】
請求項９の発明は、前記端末側通信部は、撮影を禁止する撮影禁止信号を発信し、前記カメラ制御部は、前記カメラ側通信部の前記撮影禁止信号受信時に撮影を禁止することを特徴とする。
請求項１０の発明は、請求項１から請求項９の発明において、前記カメラは、被撮影者像を光電変換して画像データを生成する電子カメラであって、前記端末側通信部は、前記画像データの再生または処理を禁止する再生禁止信号を発信し、前記カメラ制御部は、前記カメラ側通信部の前記再生禁止信号受信時に前記画像データの再生禁止処理を行うことを特徴とする。
【００１３】
請求項１１の発明は、請求項１０の発明において、前記再生禁止信号には、前記画像データに対応する画像識別コードが含まれており、前記カメラ制御部は、受信した前記画像識別コードに対応する前記画像データに再生禁止処理を行うことを特徴とする。
【発明の効果】
【００１４】
本発明によれば、被撮影者端末によってカメラの撮影の範囲を表す撮影情報に基づく報知が被撮影者に対してなされるので、被撮影者はカメラの撮影をより確実に感知できる。その結果、被撮影者のプライバシーが保護される。
【発明を実施するための最良の形態】
【００１５】
以下、図面に基づいて本発明の実施の形態を詳細に説明する。
（第１実施形態の説明）
図１は、第１実施形態のカメラシステムの概要図である（請求項１から請求項４、請求項７から請求項１１に対応する）。第１実施形態のカメラシステムは、被撮影者を撮影するカメラ１００と、被撮影者が所持する被撮影者端末２００とから構成されている。第１実施形態では、カメラ１００と被撮影者端末２００とは通信機能を有し、カメラ１００の撮影に際して撮影の範囲を表す撮影情報が被撮影者端末２００に送信されて、被撮影者に撮影されることが報知される。また被撮影者は、被撮影者端末２００から撮影禁止信号をカメラ１００に送信することで、カメラ１００の撮影を禁止し、また画像データの再生禁止処理をすることができる。
【００１６】
第１実施形態のカメラ１００の構成を図２に示す。カメラ１００は、撮影機構と、メモリ５と、記録媒体６と、表示部７と、撮影情報検出部８と、カメラ位置情報取得部９と、撮影方向検出部１０と、カメラ制御部１１と、カメラ側通信部１２と、データバス１３とから構成される。
カメラ１００の撮影機構は、撮影レンズ１と、撮像素子２と、Ａ／Ｄ変換部３と、画像処理部４とから構成される。撮像素子２は、撮影レンズ１から入射した被写体像を光電変換してアナログ画像信号を生成する。Ａ／Ｄ変換部３は、アナログ画像信号をデジタル画像信号に変換する。画像処理部４は、デジタル画像信号にガンマ補正、色分離、ホワイトバランスなどの処理を行って画像データを生成する。
【００１７】
メモリ５には、画像処理部４で一部の画像処理が施された画像データや、記録媒体６に記録前の画像データが一時保存される。記録媒体６は画像処理部４で生成された画像データが最終的に記録される。また、表示部７は、記録媒体５の画像データの再生表示や、各種の操作指示等を表示する。なお、第１実施形態では、各画像データにはそれぞれ画像識別コードが設けられている。
【００１８】
撮影情報検出部８は、撮影レンズ１のズーム位置を検出するズームエンコーダと、撮影距離および撮影画角とズーム位置との対応関係を記憶したＬＵＴとから構成される。撮影情報検出部８は、ズームエンコーダで検出したズーム位置に対応する撮影距離および撮影画角をＬＵＴにより求める。そして、この撮影距離および撮影画角の情報がカメラ制御部１１に出力される。
【００１９】
カメラ位置情報取得部９はカメラ１００の位置（緯度および経度）の情報を取得し、このカメラ位置の情報をカメラ制御部１１に出力する。このカメラ位置情報取得部９には、例えば、ＧＰＳ（Global Positioning System：全地球測位システム）による測位装置や、セルラ方式の移動通信網（ＰＨＳ等）の複数の基地局から発信される情報を利用した測位装置など、公知の測位装置が適用される。
【００２０】
撮影方向検出部１０は、カメラ１００の撮影方向（撮影レンズ１の向き）の情報を取得し、この撮影方向の情報をカメラ制御部１１に出力する。この撮影方向検出部１０は、例えば、地磁気から方位を検出する方位センサや、ジャイロセンサ等で構成される。
カメラ制御部１１は、例えばマイクロプロセッサで構成される。このカメラ制御部１１は、データバス１３を介してカメラ１００の各部の動作を制御し、カメラ１００の合焦制御、露光制御に必要な各種演算処理を実行する。特に第１実施形態では、カメラ制御部１１は以下の機能を有している。
【００２１】
（１）第１に、カメラ制御部１１は、カメラ１００の撮影中または撮影後に、撮影情報を被撮影者端末２００に送信する指示をカメラ側通信部１２に行う。この撮影情報は、カメラ１００による撮影の範囲を被撮影者端末２００に報知するための情報である。ここで、カメラ１００から送信される撮影情報には、カメラ１００を特定するためのカメラ識別コードと、画像データに対応する画像識別コードと、カメラ位置と、撮影距離と、撮影画角と、撮影方向とが含まれている。
【００２２】
（２）第２に、カメラ制御部１１は、撮影禁止信号の受信時において、カメラ１００の撮影機構をロックして被撮影者の撮影を禁止する制御を行う。また、カメラ制御部１１は、撮影禁止信号（請求項の「再生禁止信号」を兼ねる）の受信時において、カメラ識別コードに対応する画像データの再生禁止または処理を実行する。この再生禁止または処理の例としては、画像データの再生禁止情報をヘッダ部分等に書き込む処理や、画像データの消去、上書きによる再生禁止、などの種々の手段を用いることができる。
【００２３】
（３）第３に、カメラ制御部１１は、上記（１）の撮影情報の送信に先立って撮影の範囲を求め、この撮影の範囲に応じて撮影情報の発信を停止するか否かの判定を行う。例えば、撮影距離および撮影画角が所定の閾値以上の場合には、カメラ制御部１１は撮影情報の発信を停止する。一方、それ以外の場合には、カメラ制御部１１は撮影情報の送信指示をカメラ側通信部１２に行う。これは、例えば撮影画角が大きくかつ撮影距離が長い場合には、撮影された画面内に写り込んでいる対象も多くなると考えられ、個々人のプライバシー侵害のおそれも相対的に低下する。この場合には被撮影者に報知する必要も薄れるため、被撮影者端末２００の報知対象から外す趣旨である。
【００２４】
カメラ側通信部１２は、被撮影者端末２００と直接的にデータ送受信を行う。カメラ１００と被撮影者端末２００との間のデータ送受信方法は公知の無線通信手段のいずれであってもよい。ここで、カメラ１００から被撮影者端末２００に送信されるデータは上記の撮影情報である。一方、被撮影者端末２００からカメラ１００が受信するデータは撮影禁止信号である。
【００２５】
また、カメラ側通信部１２は、カメラ１００の撮影方向に強い指向性を有しており、被撮影者の所持する被撮影者端末２００との交信確率が高められている。図３はカメラ１００内のカメラ側通信部１２の構成の一例を示す図である。カメラ側通信部１２は電磁シールドフィルム１４によりカメラ１００の正面方向（カメラ撮影方向）以外の部分が囲まれている。すなわち、上記構成によりカメラ側通信部１２は、カメラ１００の正面方向に強い指向性を持ち、撮影方向に位置する被撮影者端末２００との交信が成立し易くなる。一方、カメラ側通信部１２は背面方向の指向性が弱くなり、撮影方向にない被撮影者端末２００との交信が成立し難いので、撮影情報の送信先が撮影範囲内の被撮影者端末２００に概ね対応する。なお、指向性の調整は電磁シールドフィルム１４以外にもアンテナの構成により調整することも可能である。例えば、小型の指向性アンテナの例が特開２０００−２７８０３７号公報などに開示されている。
【００２６】
さらに、カメラ側通信部１２は、撮影画角に対応してその指向性を変更するようにしてもよい。例えば、撮影範囲が固定された状況において、撮影距離が短い場合は撮影画角が広くなるので交信の指向性を弱め、撮影距離が長い場合は撮影画角が狭くなるので交信の指向性を高めるようにする。カメラ側通信部１２の指向性の調整は、電磁シールドフィルム１４を機械的に移動させる手段や、カメラ側通信部１２を撮影画角に合わせて走査させる手段や、あるいは指向特性が異なる複数の指向性アンテナを切り換えて使用する手段などで達成できる（いずれも図示を省略する）。これらの場合には、より高い精度で、撮影情報の送信先が撮影範囲内の被撮影者端末２００に対応する。
【００２７】
第１実施形態の被撮影者端末２００の構成を図４に示す。被撮影者端末２００は、端末側通信部２０と、入力部２１と、端末位置情報取得部２２と、ＣＰＵ２３と、モニタ２４と、データバス２５とから構成される。ここで請求項との対応関係を示すと、ＣＰＵ２３およびモニタ２４が「報知手段」として機能する。なお、カメラ１００のカメラ制御部１１にＣＰＵ２３の機能を代替させ、かつカメラ１００に入力部を設けることで、カメラ１００を被撮影者端末２００として利用できるようにしてもよい。
【００２８】
端末側通信部２０は、カメラ１００と直接的にデータ送受信を行う。入力部２１では被撮影者によるデータ入力（撮影禁止の送信指示入力または送信取消入力など）が行われる。また、端末位置情報取得部２２は、被撮影者端末２００の端末位置（緯度および経度）の情報を取得し、この端末位置の情報をＣＰＵ２３に出力する。なお、端末位置情報部２２には、カメラ１００のカメラ位置情報取得部９と同様に公知の測位装置が適用される。
【００２９】
ＣＰＵ２３はデータバス２５を介して被撮影者端末２００の動作を制御する。より具体的にＣＰＵ２３の機能を説明すると、第１にＣＰＵ２３は、カメラ１００から受信した撮影情報（カメラ識別コード、カメラ位置、撮影距離、撮影画角、撮影方向、など）と、端末位置情報取得部２２の端末位置に基づいて、被撮影者が撮影の範囲内に位置するか否かを判定する。そして、ＣＰＵ２３は該判定結果の表示をモニタ２４に指示する。なお、特に限定するものではないが、ＣＰＵ２３は撮影の範囲内に被撮影者が位置する場合のみ、モニタ表示を行う構成とするのが好適である。これは、撮影の範囲内に被撮影者が位置しない場合には、撮影によるプライバシー侵害の問題はないからである。
【００３０】
第２にＣＰＵ２３は、被撮影者が入力部２１で行う撮影禁止の送信指示入力に基づいて、カメラ１００の撮影を禁止する撮影禁止信号を生成する。そして、ＣＰＵ２３は、端末側通信部２０に対して該撮影禁止信号をカメラ１００に送信する指示を行う。なお、撮影禁止信号には、カメラを特定するためのカメラ識別コードと、再生を禁止する画像データを特定するための画像識別コードが含まれている。
【００３１】
モニタ２４は、ＣＰＵ２３から出力された判定結果や、カメラ１００に撮影禁止を送信するか否かの判断を促す旨などが表示される。ここで、判定結果の表示としては、図５に示すように、例えば、カメラ識別コードに基づく情報と、被撮影者の位置と、カメラの位置と、撮影の範囲の表示（撮影画角および撮影範囲が把握できる表示）とがモニタ２４に表示される。
【００３２】
（第１実施形態の動作）
第１実施形態のカメラシステムは上記のように構成されており、以下、その動作を図６の流れ図に従って説明する。
まず、カメラ１００のカメラ制御部１１は、図示しないシャッタレリーズスイッチの半押し等の所定の入力があった場合、撮影機構の合焦制御、露出演算等を行って、カメラ１００の撮影を準備する。そして、撮影準備動作に続くシャッターレリーズにより被撮影者を撮影する。この撮影時に、カメラ制御部１１は、撮影情報を構成するデータ（カメラ識別コード、画像識別コード、カメラ位置、撮影距離、撮影画角、撮影方向の情報）を取得する（Ｓ１０１）。
【００３３】
次に、カメラ制御部１１は、撮影距離および撮影画角に基づいて撮影の範囲を求め、この撮影の範囲に応じて撮影情報の発信を停止するか否かの判定を行う（Ｓ１０２）。具体的には、カメラ制御部１１は撮影距離および撮影画角が所定の閾値以上か否かを判定する。
判定結果が送信停止の場合（ＹＥＳ側）は、カメラ制御部１１はステップＳ１０３以降の動作を行うことなく、次回の撮影動作を待機する。この場合は、撮影された画面内に写り込んでいる対象も多くなるのでプライバシー侵害のおそれも低く、被撮影者に撮影を報知する必要も薄れる。そのため、カメラ制御部１１は被撮影者端末２００への送信動作を省略するものである。
【００３４】
一方、ステップＳ１０２の判定結果が送信の場合（ＮＯ側）は、カメラ制御部１１は、被撮影者端末２００への撮影情報の送信をカメラ側通信部１２に指示する。カメラ側通信部１２は、撮影画角に対応する範囲に指向性を調整して、撮影の範囲を含む領域に撮影情報を送信する（Ｓ１０３）。
撮影情報を受信した被撮影者端末２００のＣＰＵ２３は、端末位置情報取得部２２から端末位置を取得する（Ｓ２０１）。そして、ＣＰＵ２３は、カメラ１００から受信した撮影情報と、端末位置とに基づいて、被撮影者が撮影の範囲内に位置するか否かを判定する（Ｓ２０２）。判定で被撮影者が撮影の範囲内の場合（ＹＥＳ側）は、ＣＰＵ２３は、図５に示すように、カメラ識別コードに基づく情報と、被撮影者の位置と、カメラの位置と、撮影の範囲とを、モニタ２４で表示して報知する（Ｓ２０３）。これにより、被撮影者はカメラ１００による撮影を感知することができる。特に第１実施形態の場合には、カメラ１００の撮影の範囲がモニタ２４に表示されるので、被撮影者はカメラのピントが自分に対するものなのか否かを判断できる。また、カメラ識別コードに基づく情報により、被撮影者は撮影者を特定することができる。
【００３５】
一方、ステップＳ２０２の判定で被撮影者が撮影の範囲外の場合（ＮＯ側）は、ＣＰＵ２３は待機状態に戻る。この場合は、カメラ１００の撮影が被撮影者に関係のない場合であり、ステップＳ２０３以降の動作は行われない。
ステップＳ２０３でのモニタ表示後のＣＰＵ２３は、被撮影者による入力を待機する。そして、被撮影者による入力部２１の入力があった場合には、撮影禁止の送信指示入力であるか否かを判定する（Ｓ２０４）。入力部２１の入力が送信指示入力（図５の「はい」）である場合（ＹＥＳ側）には、ＣＰＵ２３は、カメラ１００に撮影を禁止させる撮影禁止信号を生成する。この撮影禁止信号は、端末側通信部２０からカメラ１００に送信される（Ｓ２０５）。一方、入力部２１の入力が送信取消入力（図５の「いいえ」）である場合（ＮＯ側）には、ＣＰＵ２３は撮影禁止信号をカメラ１００に送信することなく待機状態に戻る。この場合は、被撮影者がカメラ１００の撮影を許容する場合である。
【００３６】
ここで、撮影情報の送信後に、カメラ１００のカメラ制御部１１は、撮影禁止信号を受信したか否かを判定する（Ｓ１０４）。撮影禁止信号を受信した場合（ＹＥＳ側）には、カメラ制御部１１は、撮影禁止信号の画像識別コードに対応する画像データの再生禁止処理を実行する。同時にカメラ制御部１１は、カメラ１００の撮影機構を所定時間の間だけロックして、被撮影者に対する次回撮影を禁止する（Ｓ１０５）。
【００３７】
一方、ステップＳ１０４の判定で撮影禁止信号を受信がない場合（ＮＯ側）には、カメラ制御部１１は次回撮影の待機状態に移行する。以上で第１実施形態のカメラシステムの一連の動作が終了する。
（第１実施形態の効果）
第１実施形態では、撮影に際してカメラ１００から被撮影者端末２００に撮影情報が送信され、被撮影者端末２００の報知によって被撮影者は撮影を感知できる。特に第１実施形態では、被撮影者端末２００は、撮影情報（カメラ位置、撮影距離、撮影画角および撮影方向）と端末位置とに基づいて、被撮影者が撮影の範囲内に位置するか否かを判定して報知する。したがって、被撮影者はカメラ１００のピントが自分に対するものなのか否かまでを感知できる点で顕著な効果を奏する。さらに、撮影情報にはカメラ識別コードが含まれ、被撮影者端末２００はカメラ識別コードに基づく情報を報知することで、被撮影者が撮影者を特定できる点でも有利である。
【００３８】
また、第１実施形態では、被撮影者端末２００から送信された撮影禁止信号によって、被撮影者の撮影された画像データの再生が禁止され、カメラ１００の撮影機構が次回撮影前にロックされるので、被撮影者のプライバシー保護を図ることができる。
さらに、第１実施形態では、カメラ側通信部１２が撮影画角に対応した指向性を有するため、撮影情報の送信先が撮影範囲内の被撮影者端末２００に概ね対応する。また、被撮影者端末２００は、撮影の範囲内に端末位置が位置する場合のみ表示を行うので、被撮影者に関係のない撮影情報を被撮影者端末２００が受信した場合でも、被撮影者が煩雑さを感じることはない。
【００３９】
さらにまた、第１実施形態では、被撮影者に撮影を報知する必要性が低い場合（撮影された画面内に写り込んでいる対象が多い場合など）には、撮影の範囲に応じてカメラ１００が撮影情報の発信を停止する。そのため、被撮影者のプライバシーが十分保護されていると考えられる場合には撮影の報知が省略されるので、撮影者が煩雑さを感じる機会は減少する。
【００４０】
（第１実施形態の補足事項）
第１実施形態では、撮影禁止信号の受信時に、カメラ１００は撮影機構のロックによる撮影禁止処理と、撮影された画像データの再生禁止処理との２つの処理を実行している。しかし、撮影禁止信号の受信時に、カメラ制御部１１が撮影禁止処理または画像データの再生禁止処理のいずれか一方の処理のみを行う構成であってもよい。また、第１実施形態での撮影情報の送信はレリーズと同時またはレリーズ後に行われているが、後述の第２実施形態のように撮影前に撮影情報を送信するようにしてもよい。さらに、第１実施形態のカメラ１００はカメラ付携帯電話であってもよい。
【００４１】
さらにまた、撮影情報における撮影距離に、絞り等で変化する被写界深度の巾の情報を含めて、被撮影者端末が被写界深度を考慮して撮影の範囲を判定するようにしてもよい。
（第２実施形態の説明）
図７は、第２実施形態のカメラシステムの動作を示す流れ図である（請求項１から請求項４、請求項７から請求項９に対応する）。第２実施形態のカメラシステムは第１実施形態の変形例であって、第１実施形態と同様のカメラ１００および被撮影者端末２００で構成される。第２実施形態では、カメラ１００のカメラ制御部１１は撮影準備段階で撮影情報を送信する。また、撮影禁止信号を受信したカメラ制御部１１は、撮影前にカメラ１００の撮影機構をロックする。なお、第２実施形態では、被撮影者端末２００のステップ（Ｓ２０１〜Ｓ２０６）が第１実施形態と共通するので同一番号を付して説明を省略し、カメラ１００側のステップのみ説明する。
【００４２】
まず、カメラ１００のカメラ制御部１１は、図示しないシャッタレリーズスイッチの半押し等の所定の入力があった場合、カメラ１００の撮影を準備する。この撮影準備動作時に、カメラ制御部１１は、撮影情報を構成するデータ（カメラ識別コード、カメラ位置、撮影距離、撮影画角、撮影方向の情報）を取得する（Ｓ３０１）。
次に、カメラ制御部１１は、撮影距離および撮影画角に基づいて撮影の範囲を求め、この撮影の範囲に応じて撮影情報の発信を停止するか否かの判定を行う（Ｓ３０２）。判定結果が送信停止の場合（ＹＥＳ側）は、カメラ制御部１１はステップＳ３０７の撮影可能状態に移行する。
【００４３】
一方、ステップＳ３０２の判定結果が送信の場合（ＮＯ側）は、カメラ制御部１１は、被撮影者端末２００への撮影情報の送信をカメラ側通信部１２に指示する。カメラ側通信部１２は、撮影画角に対応する範囲に指向性を調整して、撮影の範囲を含む領域に撮影情報を送信する（Ｓ３０３）。
ステップＳ３０３の終了後に、カメラ制御部１１は撮影禁止信号を受信したか否かを判定する（Ｓ３０４）。撮影禁止信号を受信した場合（ＹＥＳ側）には、カメラ制御部１１は、カメラ１００の撮影機構をロックして、被撮影者の撮影を禁止する（Ｓ３０５）。
【００４４】
ステップＳ３０４の判定で撮影禁止信号の受信がない場合（ＮＯ側）には、カメラ制御部１１は、撮影情報発信時を基準として、撮影禁止信号を受信するための待機時間が経過したか否かを判定する（Ｓ３０６）。待機時間経過時（ＹＥＳ側）には、カメラ制御部１１は撮影可能状態に移行して、撮影者は被撮影者をカメラ１００で撮影することができる（Ｓ３０７）。一方、待機時間以内の場合（ＮＯ側）には、カメラ制御部１１はＳ３０４に戻って撮影禁止信号の受信を待機する。以上で第２実施形態のカメラシステムの一連の動作が終了する。
【００４５】
（第２実施形態の効果）
第２実施形態では、上記第１実施形態の効果に加えて以下の効果を奏する。すなわち、第２実施形態のカメラ１００では、撮影前に撮影情報を送信し、撮影禁止信号受信時には撮影禁止処理のみを行うので、電子カメラのみならずフィルム式の銀塩カメラにも広く適用することができる。
【００４６】
（第３実施形態の説明）
図８は、第３実施形態のカメラシステムの概要図である（請求項５から請求項１１に対応する）。第３実施形態では、カメラ１００および通信端末２００はカメラ付携帯電話３００、３０１に内蔵され、カメラ付携帯電話の一機能として実現される。また、撮影者および被撮影者が所持するカメラ付携帯電話間の通信は、サーバー４００を介して間接的に行われる。なお、以下の説明では便宜のため、撮影側のカメラ付携帯電話３００（請求項の「カメラ」に対応する場合）を「撮影側携帯電話」と称し、被撮影側のカメラ付携帯電話３０１（請求項の「被撮影者端末」に対応する場合）を「被撮影側携帯電話」と称する。
【００４７】
（カメラ付携帯電話の構成）
第３実施形態のカメラ付携帯電話の構成を図９に示す。カメラ付携帯電話３００、３０１は、撮影機構（撮影レンズ１、撮像素子２、Ａ／Ｄ変換部３、画像処理部４）と、メモリ５と、記録媒体６と、撮影情報検出部８と、撮影方向検出部１０と、制御部３１と、通信部３２と、位置情報取得部３３と、データバス３４と、表示部３５と、ボタン入力部３６および図示しない音声入出力部とから構成されている。なお、第３実施形態のカメラ付携帯電話の各部説明において、第１実施形態のカメラ１００または被撮影者端末２００と共通する部分には同一符号を付して説明を省略する。ここで、請求項との対応関係を示すと、位置情報取得部３３は、「カメラ位置情報取得部」および「端末位置情報取得部」に対応し、制御部３１および表示部３５が「報知手段」に対応する。
【００４８】
制御部３１は、マイクロプロセッサ等で構成され、データバス３４を介して携帯電話各部の動作を制御し、通話に必要な各種処理等を実行する。また制御部３１は、第１実施形態のカメラ制御部１１およびＣＰＵ２３の両方の機能を備えている。したがって、カメラ付携帯電話は、撮影時にはカメラ１００として機能し、被撮影時には被撮影者端末２００として機能する。
【００４９】
さらに制御部３１は、カメラ付携帯電話が被撮影側携帯電話３０１となる場合、撮影情報の送信をサーバー４００に要求する送信要求を生成し、通信部３２に対して該送信要求をサーバー４００に送信する指示を行う。第３実施形態では、この送信要求がサーバー４００にある場合のみ、被撮影側携帯電話に撮影情報が通知される。
通信部３２は、携帯電話の各基地局との間で無線通信によるデータ送受信を行う機能を有しており、請求項における「カメラ側通信部」および「端末側通信部」として機能する。なお、第３実施形態ではカメラ識別コードを携帯電話の電話番号としてもよい。
【００５０】
また、カメラ付携帯電話は、サーバー４００側で指定された一定の時間間隔毎に呼び出され、その呼出時に端末位置情報をサーバー４００側に送信する。ここで端末位置情報は、端末側のＧＰＳ等による位置情報でもよく、被撮影者端末２００と交信成立した複数の基地局からの情報に基づいて、サーバー４００が演算した位置情報のいずれでもよい。
（サーバーの構成）
第３実施形態のサーバー４００は、送信設定記憶部４０と、通信制御部４１とから構成されている（図８参照）。
【００５１】
送信設定記憶部４０には、被撮影側携帯電話３０１となるカメラ付携帯電話のアドレス情報（電話番号）と、各カメラ付携帯電話３００の端末位置情報との対応関係が記録されている。また、送信設定記憶部４０のアドレス情報には、各カメラ付携帯電話から送信された送信要求がさらに関連付けられて記録される。
通信制御部４１は、公衆通信回線を介して携帯電話の基地局と接続されており、該基地局を介してカメラ付携帯電話（カメラ１００および被撮影者端末２００）とのデータ送受信を実行する。また、通信制御部４１は、撮影側携帯電話３００から送信された撮影情報に基づいて、撮影の範囲を演算する。
【００５２】
特に第３実施形態では、通信制御部４１は以下のデータの送受信を行う。（１）第１に通信制御部４１は、撮影側携帯電話３００から受信した撮影情報を、被撮影側携帯電話３０１に送信する。このとき、通信制御部４１は、送信設定記憶部４０の送信要求に基づいて、送信要求のない被撮影側携帯電話３０１には撮影情報の送信を停止する。（２）第２に通信制御部４１は、被撮影側携帯電話３０１から受信した撮影禁止信号を撮影側携帯電話３００に送信する。（３）第３に通信制御部４１は、被撮影側携帯電話３０１を一定の時間間隔毎に呼び出して端末位置情報を取得する。そして、通信制御部４１は送信設定記憶部４０の端末位置情報を更新する。
【００５３】
（第３実施形態の動作）
以下、第３実施形態の動作を図１０の流れ図に従って説明する。
まず、撮影側携帯電話３００の制御部３１は、所定のシャッターレリーズ動作によって被撮影者を撮影する。この撮影時に、制御部３１は、撮影情報を構成するデータ（カメラ識別コード（電話番号）、画像識別コード、撮影側携帯電話の位置、撮影距離、撮影画角、撮影方向の情報）を取得する（Ｓ４０１）。
【００５４】
次に、撮影側携帯電話３００の制御部３１は、撮影距離および撮影画角に基づいて撮影の範囲を求め、この撮影の範囲に応じて撮影情報の発信を停止するか否かの判定を行う（Ｓ４０２）。判定結果が送信停止の場合（ＹＥＳ側）は、撮影側携帯電話３００の制御部３１はステップＳ４０６に移行して次回の撮影動作を待機する。一方、ステップＳ４０２の判定結果が送信の場合（ＮＯ側）は、撮影側携帯電話３００の制御部３１は、撮影情報のサーバー４００への送信を通信部３２に指示する（Ｓ４０３）。
【００５５】
サーバー４００の通信制御部４１は、基地局を介して撮影側携帯電話３００の撮影情報を受信する。通信制御部４１は撮影側携帯電話３００の撮影の範囲を、受信した撮影情報に基づいて演算する（Ｓ５０１）。
次に、通信制御部４１は、送信設定記憶部４０の端末位置情報を検索して、撮影の範囲付近にある被撮影携帯電話３０１（送信対象）のアドレス情報を取得する（Ｓ５０２）。このとき、通信制御部４１は、アドレス情報の送信要求を同時に検索して、送信要求のない被撮影携帯電話３０１を送信対象から除外する（Ｓ５０３）。そして、通信制御部４１は、Ｓ５０２およびＳ５０３で特定された送信対象の被撮影者携帯電話３０１に撮影情報を送信する（Ｓ５０４）。
【００５６】
撮影情報を受信した被撮影携帯電話３０１の制御部３１は、位置情報取得部３３から端末位置を取得する（Ｓ６０１）。そして、被撮影携帯電話３０１の制御部３１は、受信した撮影情報と、端末位置とに基づいて、被撮影者が撮影の範囲内に位置するか否かを最終的に判定する（Ｓ６０２）。判定で被撮影者が撮影の範囲内の場合（ＹＥＳ側）は、被撮影携帯電話３０１の制御部３１が、撮影側携帯電話３００の電話番号に基づく情報（例えば、電話番号の他に、サーバーに登録された名称なども含む）と、被撮影者の位置と、撮影側携帯電話の位置と、撮影の範囲とを表示部３５に表示させる（Ｓ６０３）。これにより、被撮影者は撮影側携帯電話３００による撮影を感知することができる。一方、ステップＳ６０２の判定で被撮影者が撮影の範囲外の場合（ＮＯ側）は、ＣＰＵ２３はモニタ表示を行うことなく待機状態に戻る。
【００５７】
被撮影側携帯電話３０１の制御部３１は、被撮影者によるボタン入力部３６の入力が、撮影禁止の送信指示入力であるか否かを判定する（Ｓ６０４）。送信指示入力である場合（ＹＥＳ側）には、被撮影側携帯電話３０１の制御部３１は、撮影側携帯電話３００に撮影を禁止させる撮影禁止信号を生成し、被撮影側携帯電話３０１の通信部３２が撮影禁止信号をサーバー４００に送信する（Ｓ６０５）。一方、送信取消入力である場合（ＮＯ側）には、被撮影側携帯電話３０１の制御部３１は、撮影禁止信号をサーバー４００に送信することなく待機状態に戻る。
【００５８】
また、サーバー４００は、被撮影側携帯電話３０１から撮影禁止信号を受信した場合には、基地局を介して該撮影禁止信号を撮影側携帯電話３００に送信する（Ｓ５０５）。
ここで、撮影情報の送信後に、撮影側携帯電話３００の制御部３１は、撮影禁止信号を受信したか否かを判定する（Ｓ４０４）。撮影禁止信号を受信した場合（ＹＥＳ側）には、撮影側携帯電話３００の制御部３１は、撮影禁止信号の画像識別コードに対応する画像データの再生禁止処理を実行する。同時に撮影側携帯電話３００の制御部３１は、撮影機構を所定時間の間だけロックして、被撮影者に対する次回撮影を禁止する（Ｓ４０５）。
【００５９】
一方、ステップＳ４０４の判定で撮影禁止信号を受信がない場合（ＮＯ側）には、撮影側携帯電話３００の制御部３１は、次回撮影の待機状態に移行する（Ｓ４０６）。以上で第３実施形態のカメラシステムの一連の動作が終了する。
（第３実施形態の効果）
第３実施形態では、上記第１実施形態の効果に加えて以下の効果を奏する。すなわち、第３実施形態では、撮影情報と撮影禁止信号の送受信がサーバーで管理され、このサーバーに撮影情報の送信要求等の情報を予め入力しておくことで、被撮影者が呼び出される回数が減少して利便性が向上する。
【００６０】
（第３実施形態の補足事項）
第３実施形態において、送信設定記憶部４０に撮影禁止信号の送信設定をアドレス情報に関連付けて記録しておき、該アドレス情報の被撮影側携帯電話が撮影の範囲にある場合には、自動的に通信制御部４１が撮影禁止信号を送信するようにしてもよい。
また、第３実施形態では、カメラ付携帯電話同士でカメラシステムを構成する例を説明したが、第１実施形態または第２実施形態と同様に、カメラ１００と被撮影端末２００で同種のカメラシステムを構成してもよい。さらに、第３実施形態の通信手段は携帯電話網に限定されず、他の公知の無線通信手段（例えば、bluetoothなど）で代替してもよい。
【産業上の利用可能性】
【００６１】
被撮影者のプライバシーを侵害する撮影を排除するカメラシステムにおいて、カメラのピントが自分に対するものなのか否かまでを被撮影者が感知したい場合に好適である。
【図面の簡単な説明】
【００６２】
【図１】第１実施形態のカメラシステムの概要図である。
【図２】第１実施形態のカメラの構成を示すブロック図である。
【図３】カメラ内のカメラ側通信部の構成の一例を示す図である。
【図４】第１実施形態の被撮影者端末の構成を示すブロック図である。
【図５】被撮影者端末の画面表示の一例である。
【図６】第１実施形態のカメラシステムの動作を示す流れ図である。
【図７】第２実施形態のカメラシステムの動作を示す流れ図である。
【図８】第３実施形態のカメラシステムの概要図である。
【図９】第３実施形態のカメラ付携帯電話の構成を示すブロック図である。
【図１０】第３実施形態のカメラシステムの動作を示す流れ図である。
【符号の説明】
【００６３】
１  撮影レンズ
２  撮像素子
３  Ａ／Ｄ変換部
４  画像処理部
５  メモリ
６  記録媒体
７  表示部
８  撮影情報検出部
９  カメラ位置情報取得部
１０  撮影方向検出部
１１  カメラ制御部
１２  カメラ側通信部
１３、２５、３４  データバス
１４  電磁シールドフィルム
２０  端末側通信部
２１  入力部
２２  端末位置情報取得部
２３  ＣＰＵ
２４  モニタ
３１  制御部
３２  通信部
３３  位置情報取得部
３５  表示部
３６  ボタン入力部
４０  送信設定記憶部
４１  通信制御部
１００  カメラ
２００  被撮影者端末
３００  撮影側携帯電話
３０１  被撮影側携帯電話
４００  サーバー
【図１】
2005150939.tif 000003
【図２】
2005150939.tif 000004
【図３】
2005150939.tif 000005
【図４】
2005150939.tif 000006
【図５】
2005150939.tif 000007
【図６】
2005150939.tif 000008
【図７】
2005150939.tif 000009
【図８】
2005150939.tif 000010
【図９】
2005150939.tif 000011
【図１０】
2005150939.tif 000012